(57)【要約】      （修正有）【課題】移動中において、コンテンツ再生装置の使用者の注意を継続してひきつけられるコンテンツを配信することが出来るコンテンツ配信サーバ、方法及びシステムを提供する。【解決手段】コンテンツ配信サーバ１０は、関連コンテンツ再生指示信号を受信したコンテンツ再生装置２０ｉの使用者Ｍｉのアクションを、サーバ通信部１３を介した通信に基づいて認識するアクション認識部１１２と、同一の関連コンテンツの再生を指示する関連コンテンツ再生指示信号を受信した複数のコンテンツ再生装置２０ｉのうちのいずれかのコンテンツ再生装置２０ｉの使用者Ｍｉのアクションがアクション認識部１１２により認識されたときには、付加コンテンツの重畳を指示する付加コンテンツ重畳指示信号を、複数のコンテンツ再生装置２０ｉにサーバ通信部１３を介して送信する付加コンテンツ重畳指示部１１４とを備える。【選択図】図１
2017076204.tif 000002
【特許請求の範囲】
【請求項１】
移動体で使用され、コンテンツ再生機能と、アクション認識機能と、現在位置検出機能及び目的地点設定機能の一方又は両方とを有する複数のコンテンツ再生装置と通信を行うサーバ通信部と、
地点とコンテンツとを関連付ける関連付情報を記憶するサーバ記憶部と、
前記サーバ通信部を介した通信に基づいて、前記コンテンツ再生装置の現在位置、目的地点及び前記現在位置と前記目的地点とを結ぶルートに含まれる経由地点のうち少なくとも１つを含む位置情報を認識する位置認識部と、
前記それぞれのコンテンツ再生装置に対し、前記サーバ記憶部に記憶された関連付情報及び前記位置認識部により認識された位置情報に基づいて、前記コンテンツ再生装置の前記目的地点、前記経由地点、又は前記現在位置、前記目的地点若しくは前記経由地点から所定の距離内に存在する地点と関連付けられた前記コンテンツである関連コンテンツの再生を指示する関連コンテンツ再生指示信号を前記サーバ通信部を介して送信する関連コンテンツ再生指示部と、
前記関連コンテンツ再生指示信号を受信したコンテンツ再生装置の使用者のアクションを、前記サーバ通信部を介した通信に基づいて認識するアクション認識部と、
同一の関連コンテンツの再生を指示する前記関連コンテンツ再生指示信号を受信した複数のコンテンツ再生装置のうちのいずれかのコンテンツ再生装置の使用者のアクションが前記アクション認識部により認識されたときには、当該関連コンテンツに対する付加コンテンツの重畳を指示する付加コンテンツ重畳指示信号を、当該複数のコンテンツ再生装置に前記サーバ通信部を介して送信する付加コンテンツ重畳指示部とを備えることを特徴とするコンテンツ配信サーバ。
【請求項２】
請求項１記載のコンテンツ配信サーバにおいて、
前記位置認識部は、前記サーバ通信部を介した通信に基づいて、前記位置情報として、前記コンテンツ再生装置の現在位置を含む情報を認識し、
前記付加コンテンツ重畳指示部は、コンテンツ再生装置ごとに、前記コンテンツ再生装置の現在位置と当該コンテンツ再生装置で再生されている関連コンテンツに関連付けられた地点との距離に応じて、当該コンテンツ再生装置で再生されている関連コンテンツに重畳させる付加コンテンツの内容を決定することを特徴とするコンテンツ配信サーバ。
【請求項３】
請求項１又は２記載のコンテンツ配信サーバにおいて、
前記位置認識部は、前記サーバ通信部を介した通信に基づいて、前記位置情報として、前記それぞれのコンテンツ再生装置の現在位置及び目的地点を含む情報を認識し、
前記関連コンテンツ再生指示部は、前記それぞれのコンテンツ再生装置に対し、前記関連コンテンツ再生指示信号として、前記コンテンツ再生装置の現在位置から所定の第１距離以内に存在する地点に関連付けられたコンテンツの再生を指示する信号を送信し、
かつ、前記コンテンツ再生装置の現在位置が前記移動体の目的地点から所定の第２距離以内である場合には、他のコンテンツに優先して、前記関連コンテンツ再生指示信号として、前記移動体の目的地点に関連付けられたコンテンツの再生を指示する信号を送信するように構成されていることを特徴とするコンテンツ配信サーバ。
【請求項４】
請求項１〜３いずれか１項記載のコンテンツ配信サーバにおいて、
前記サーバ通信部を介した通信に基づいて、前記それぞれのコンテンツ再生装置の使用者の拠点を示す拠点情報を含む情報を認識する拠点情報認識部を備え、
前記関連コンテンツ再生指示部は、前記それぞれのコンテンツ再生装置に対し、前記拠点情報及び前記位置情報に応じて、前記関連コンテンツ再生指示信号を送信するかどうかを決定することを特徴とするコンテンツ配信サーバ。
【請求項５】
移動体で使用され、コンテンツ再生機能と、アクション認識機能と、現在位置検出機能及び目的地点設定機能の一方又は両方とを有する複数のコンテンツ再生装置と通信を行うサーバ通信部と、
地点とコンテンツとを関連付ける関連付情報を記憶するサーバ記憶部とを備えるサーバが実行する方法であって、
前記サーバ通信部を介した通信に基づいて、前記コンテンツ再生装置の現在位置、目的地点及び前記現在位置と前記目的地点とを結ぶルートに含まれる経由地点のうち少なくとも１つを含む位置情報を認識する位置認識ステップと、
前記それぞれのコンテンツ再生装置に対し、前記サーバ記憶部に記憶された関連付情報及び前記位置認識ステップにおいて認識された位置情報に基づいて、前記コンテンツ再生装置の前記目的地点、前記経由地点、又は前記現在位置、前記目的地点若しくは前記経由地点から所定の距離内に存在する地点と関連付けられた前記コンテンツである関連コンテンツの再生を指示する関連コンテンツ再生指示信号を前記サーバ通信部を介して送信する関連コンテンツ再生指示ステップと、
前記関連コンテンツ再生指示信号を受信したコンテンツ再生装置の使用者のアクションを、前記サーバ通信部を介した通信に基づいて認識するアクション認識ステップと、
同一の関連コンテンツの再生を指示する前記関連コンテンツ再生指示信号を受信した複数のコンテンツ再生装置のうちのいずれかのコンテンツ再生装置の使用者のアクションが前記アクション認識ステップにおいて認識されたときには、当該関連コンテンツに対する付加コンテンツの重畳を指示する付加コンテンツ重畳指示信号を、当該複数のコンテンツ再生装置に前記サーバ通信部を介して送信する付加コンテンツ重畳指示ステップとを含むことを特徴とするコンテンツ配信方法。
【請求項６】
移動体で使用され、コンテンツ再生機能と、アクション認識機能と、現在位置検出機能及び目的地点設定機能の一方又は両方とを有する複数のコンテンツ再生装置と、
前記コンテンツ再生装置と通信を行うサーバ通信部と、地点とコンテンツとを関連付ける関連付情報を記憶するサーバ記憶部とを備えるコンテンツ配信サーバとを備えるシステムであって、
前記コンテンツ配信サーバは、
前記サーバ通信部を介した通信に基づいて、前記コンテンツ再生装置の現在位置、目的地点及び前記現在位置と前記目的地点とを結ぶルートに含まれる経由地点のうち少なくとも１つを含む位置情報を認識する位置認識部と、
前記それぞれのコンテンツ再生装置に対し、前記サーバ記憶部に記憶された関連付情報及び前記位置認識部により認識された位置情報に基づいて、前記コンテンツ再生装置の前記目的地点、前記経由地点、又は前記現在位置、前記目的地点若しくは前記経由地点から所定の距離内に存在する地点と関連付けられた前記コンテンツである関連コンテンツの再生を指示する関連コンテンツ再生指示信号を前記サーバ通信部を介して送信する関連コンテンツ再生指示部と、
前記関連コンテンツ再生指示信号を受信したコンテンツ再生装置の使用者のアクションを、前記サーバ通信部を介した通信に基づいて認識するアクション認識部と、
同一の関連コンテンツの再生を指示する前記関連コンテンツ再生指示信号を受信した複数のコンテンツ再生装置のうちのいずれかのコンテンツ再生装置の使用者のアクションが前記アクション認識部により認識されたときには、当該関連コンテンツに対する付加コンテンツの重畳を指示する付加コンテンツ重畳指示信号を、当該複数のコンテンツ再生装置に前記サーバ通信部を介して送信する付加コンテンツ重畳指示部とを備えることを特徴とするコンテンツ配信システム。
【発明の詳細な説明】
【技術分野】
【０００１】
本発明は、コンテンツ配信サーバ及びコンテンツ配信方法並びにコンテンツ再生システムに関する。
【背景技術】
【０００２】
従来から、運転者の嗜好にあわせたコンテンツを提供するシステムが知られている。
【０００３】
例えば、情報検索装置に対する運転者による操作の履歴を取得する操作履歴取得部と、操作履歴取得部によって取得された操作の履歴に基づいて、ポップ音楽等が好き等の運転者の嗜好を判定する嗜好判定部と、嗜好判定部によって判定された運転者の嗜好に基づいて、外部ソースから音楽コンテンツ等のコンテンツを収集する情報収集部と、情報収集部によって収集されたコンテンツを運転者の情報検索装置へ送信する情報送信部とを備えた情報提供システムが提案されている（特許文献１参照）。
【０００４】
当該情報提供システムによれば、運転者の嗜好に基づいて外部ソースから収集されたコンテンツが運転者の情報検索装置に送信される。情報検索装置が受信したコンテンツは運転者の嗜好に基づいて収集されたコンテンツであるので、当該コンテンツが再生されることにより、運転者の嗜好にあった快適な運転環境が提供される。
【先行技術文献】
【特許文献】
【０００５】
【特許文献１】特開２０１２−１２３４９３号公報
【発明の概要】
【発明が解決しようとする課題】
【０００６】
しかしながら、特許文献１の技術では、目的地点までの行程が長い場合又は再生されるコンテンツが単調である場合には、運転者のコンテンツに対する関心が薄れて、運転者が退屈さを感じるようになるおそれがあった。
【０００７】
このような問題に鑑み、本発明は、移動中において、コンテンツ再生装置の使用者の注意を継続してひきつけられるコンテンツを配信することが出来るコンテンツ配信サーバ及びコンテンツ配信方法並びにコンテンツ再生システムを提供することを目的とする。
【課題を解決するための手段】
【０００８】
本発明のコンテンツ配信サーバは、
移動体で使用され、コンテンツ再生機能と、アクション認識機能と、現在位置検出機能及び目的地点設定機能の一方又は両方とを有する複数のコンテンツ再生装置と通信を行うサーバ通信部と、
地点とコンテンツとを関連付ける関連付情報を記憶するサーバ記憶部と、
前記サーバ通信部を介した通信に基づいて、前記コンテンツ再生装置の現在位置、目的地点及び前記現在位置と前記目的地点とを結ぶルートに含まれる経由地点のうち少なくとも１つを含む位置情報を認識する位置認識部と、
前記それぞれのコンテンツ再生装置に対し、前記サーバ記憶部に記憶された関連付情報及び前記位置認識部により認識された位置情報に基づいて、前記コンテンツ再生装置の前記目的地点、前記経由地点、又は前記現在位置、前記目的地点若しくは前記経由地点から所定の距離内に存在する地点と関連付けられた前記コンテンツである関連コンテンツの再生を指示する関連コンテンツ再生指示信号を前記サーバ通信部を介して送信する関連コンテンツ再生指示部と、
前記関連コンテンツ再生指示信号を受信したコンテンツ再生装置の使用者のアクションを、前記サーバ通信部を介した通信に基づいて認識するアクション認識部と、
同一の関連コンテンツの再生を指示する前記関連コンテンツ再生指示信号を受信した複数のコンテンツ再生装置のうちのいずれかのコンテンツ再生装置の使用者のアクションが前記アクション認識部により認識されたときには、当該関連コンテンツに対する付加コンテンツの重畳を指示する付加コンテンツ重畳指示信号を、当該複数のコンテンツ再生装置に前記サーバ通信部を介して送信する付加コンテンツ重畳指示部とを備えることを特徴とする。
【０００９】
なお、本発明において、「関連コンテンツの再生を指示する関連コンテンツ再生指示信号」とは、コンテンツ再生装置の記憶装置に保存された関連コンテンツをコンテンツ再生装置に再生させるためのトリガー信号のみならず、当該関連コンテンツをコンテンツ再生装置に再生させるために送信される当該関連コンテンツ自体のデータ及び当該関連コンテンツをコンテンツ再生装置に取得させた上で再生させるための当該関連コンテンツの所在情報（ＵＲＬ等）も含む。
【００１０】
なお、本発明において、「付加コンテンツの重畳を指示する付加コンテンツ重畳指示信号」とは、コンテンツ再生装置の記憶装置に保存された付加コンテンツを関連コンテンツに重畳させるためのトリガー信号のみならず、当該付加コンテンツを関連コンテンツに重畳させるために送信される当該付加コンテンツのデータ自体、当該付加コンテンツのデータをコンテンツ再生装置に取得させた上で関連コンテンツに重畳させるための当該関連コンテンツの所在情報（ＵＲＬ等）、及び付加コンテンツを含む関連コンテンツのデータも含む。
【００１１】
また、本発明の構成要素（位置認識部又はアクション認識部）が位置情報及びアクション等の情報を「認識する」とは、本発明の構成要素が外部から当該情報を受信すること、本発明の構成要素が基礎情報に対して所定の演算処理（計算処理又は探索処理等）を実行することにより当該情報を導出すること、位置情報及びアクションが外部による演算処理結果としての当該情報を当該他の装置から受信すること、本発明の構成要素が内部記憶装置又は外部記憶装置から当該情報を読み取ること等、他の構成要素により当該情報を実行するための準備としてあらゆる演算処理が実行されることを意味する。
【００１２】
本発明のコンテンツ配信サーバによれば、関連コンテンツ再生指示部により、それぞれのコンテンツ再生装置に対し、サーバ記憶部に記憶された関連付情報及び位置認識部により認識された位置情報に基づいて、関連コンテンツ再生指示信号が前記サーバ通信部を介して送される。
【００１３】
従って、関連コンテンツ再生指示信号に基づいて、それぞれのコンテンツ再生装置が関連コンテンツを再生することにより、それぞれのコンテンツ再生装置の使用者は、当該関連コンテンツを視聴することが出来る。
【００１４】
ここで、関連コンテンツは、コンテンツ再生装置の目的地点、経由地点、又は現在位置、目的地点若しくは経由地点から所定の距離内に存在する地点と関連付けられた前記コンテンツである。従って、共通の関連コンテンツを視聴している各使用者は、当該関連コンテンツに関連付けられた地点から所定の距離以内に存在するか、又は当該地点に向かって移動をしているという点で、共通点を有する。
【００１５】
付加コンテンツ重畳指示部により、同一の関連コンテンツの再生を指示する前記関連コンテンツ再生指示信号を受信した複数のコンテンツ再生装置のうちのいずれかのコンテンツ再生装置の使用者のアクションが前記アクション認識部により認識されたときに、当該複数のコンテンツ再生装置のうちのいずれかのコンテンツ再生装置の使用者のアクションに応じて、当該関連コンテンツへの付加コンテンツの重畳を指示する付加コンテンツ重畳指示信号が、前記複数のコンテンツ再生装置に前記サーバ通信部を介して送信される。
【００１６】
この付加コンテンツ重畳指示信号に基づいて、各コンテンツ再生装置が再生中の関連コンテンツに付加コンテンツを重畳させることにより、各使用者は、関連コンテンツとともに付加コンテンツを視聴することが出来る。
【００１７】
この付加コンテンツは、共通の関連コンテンツを再生するコンテンツ再生装置の使用者のアクションに応じて付加されているので、各使用者は、自らのアクションに応じた付加コンテンツを共通の関連コンテンツを視聴する他のコンテンツ再生装置の使用者に視聴させることが出来るとともに、共通の関連コンテンツを視聴する他のコンテンツ再生装置の使用者のアクションに応じた付加コンテンツを視聴することが出来る。
【００１８】
これにより、各使用者は、前記共通点を有し、かつ、共通の関連コンテンツを視聴する他のコンテンツ再生装置の使用者との一体感を得られるので、移動中の各使用者の気分が高揚する。コンテンツを視聴することで気分が高揚した各使用者に対して、引き続き、そのコンテンツに対して注意を払うよう促すことが出来る。
【００１９】
すなわち、本発明のコンテンツ配信サーバによれば、移動中のコンテンツ再生装置の使用者の注意を継続してひきつけるコンテンツを配信することが出来る。
【００２０】
本発明のコンテンツ配信サーバにおいて、
前記位置認識部は、前記サーバ通信部を介した通信に基づいて、前記位置情報として、前記コンテンツ再生装置の現在位置を含む情報を認識し、
前記付加コンテンツ重畳指示部は、コンテンツ再生装置ごとに、前記コンテンツ再生装置の現在位置と当該コンテンツ再生装置で再生されている関連コンテンツに関連付けられた地点との距離に応じて、当該コンテンツ再生装置で再生されている関連コンテンツに重畳させる付加コンテンツの内容を決定することが好ましい。
【００２１】
当該構成のコンテンツ配信サーバによれば、共通の関連コンテンツがコンテンツ再生装置によって再生されている場合であっても、コンテンツ再生装置の現在位置と関連コンテンツに関連付けられた地点との距離に応じて付加コンテンツの内容が異なりうる。これにより、当該関連コンテンツ及び付加コンテンツを視聴している使用者は、当該関連コンテンツを視聴する他の使用者との一体感に加え、付加コンテンツの内容の変化によって関連コンテンツに関連付けられた地点までの距離感がつかめるので、移動中の使用者の気分がさらに高揚しうる。
【００２２】
本発明のコンテンツ配信サーバにおいて、
前記位置認識部は、前記サーバ通信部を介した通信に基づいて、前記位置情報として、前記それぞれのコンテンツ再生装置の現在位置及び目的地点を含む情報を認識し、
前記関連コンテンツ再生指示部は、前記それぞれのコンテンツ再生装置に対し、前記関連コンテンツ再生指示信号として、前記コンテンツ再生装置の現在位置から所定の第１距離以内に存在する地点に関連付けられたコンテンツの再生を指示する信号を送信し、
かつ、前記コンテンツ再生装置の現在位置が前記移動体の目的地点から所定の第２距離以内である場合には、他のコンテンツに優先して、前記関連コンテンツ再生指示信号として、前記移動体の目的地点に関連付けられたコンテンツの再生を指示する信号を送信するように構成されていることが好ましい。
【００２３】
当該構成のコンテンツ配信サーバによれば、関連コンテンツ再生指示部によって、それぞれのコンテンツ再生装置に対し、前記関連コンテンツとして、前記位置認識部により認識されたコンテンツ再生装置の現在位置から所定の第１距離内に存在する地点に関連付けられたコンテンツの再生を指示する信号が送信される。
【００２４】
この信号を受信したコンテンツ再生装置により、コンテンツ再生装置の現在位置から所定の第１距離内に存在する地点に関連するコンテンツが再生されることにより、コンテンツ再生装置の使用者は移動している場所付近をコンテンツの内容から把握することが出来る。この結果、コンテンツ再生装置の使用者の気分がさらに高揚しうる。
【００２５】
また、コンテンツ再生装置が当該コンテンツ再生装置の目的地点から所定の第２距離以内の圏内に存在する場合には、関連コンテンツ再生指示部によって、他の関連コンテンツに優先して、当該目的地点に関連したコンテンツの再生を指示する信号が当該コンテンツ再生装置に送信される。
【００２６】
この信号を受信したコンテンツ再生装置が当該コンテンツを再生することにより、コンテンツ再生装置の使用者は、目的地点に近づいたことを認識しうるので、コンテンツ再生装置の使用者の気分がさらに高揚しうる。
【００２７】
本発明のコンテンツ配信サーバにおいて、
前記サーバ通信部を介した通信に基づいて、前記それぞれのコンテンツ再生装置の使用者の拠点を示す拠点情報を含む情報を認識する拠点情報認識部を備え、
前記関連コンテンツ再生指示部は、前記それぞれのコンテンツ再生装置に対し、前記拠点情報及び前記位置情報に応じて、前記関連コンテンツ再生指示信号を送信するかどうかを決定することが好ましい。
【００２８】
同一の場所又は距離的に近い場所に向けて移動する場合であっても、コンテンツ再生装置の使用者の拠点によって、関連コンテンツに対するコンテンツ再生装置の使用者の受け止め方が異なることが多い。この点に鑑みて構成された当該構成のコンテンツ配信サーバによれば、夫々のコンテンツ再生装置に対し、拠点情報と位置情報とに応じて関連コンテンツ再生指示信号を送信するか否かが決定される。この結果、拠点情報と位置情報とに応じた関連コンテンツ再生指示信号の送信に際し、コンテンツ再生装置の使用者の拠点と前記コンテンツ再生装置の現在位置、目的地点及び前記現在位置と前記目的地点とを結ぶルートに含まれる経由地点のうち少なくとも１つとに応じて推定される使用者のニーズを勘案して、コンテンツ再生装置の使用者の気分を高揚させる（使用者の注意を引き続き引く）ための番組のコンテンツの配信を行うかどうかを決定することが出来る。
【００２９】
本発明のコンテンツ配信方法は、
移動体で使用され、コンテンツ再生機能と、アクション認識機能と、現在位置検出機能及び目的地点設定機能の一方又は両方とを有する複数のコンテンツ再生装置と通信を行うサーバ通信部と、
地点とコンテンツとを関連付ける関連付情報を記憶するサーバ記憶部とを備えるサーバが実行する方法であって、
前記サーバ通信部を介した通信に基づいて、前記コンテンツ再生装置の現在位置、目的地点及び前記現在位置と前記目的地点とを結ぶルートに含まれる経由地点のうち少なくとも１つを含む位置情報を認識する位置認識ステップと、
前記それぞれのコンテンツ再生装置に対し、前記サーバ記憶部に記憶された関連付情報及び前記位置認識ステップにおいて認識された位置情報に基づいて、前記コンテンツ再生装置の前記目的地点、前記経由地点、又は前記現在位置、前記目的地点若しくは前記経由地点から所定の距離内に存在する地点と関連付けられた前記コンテンツである関連コンテンツの再生を指示する関連コンテンツ再生指示信号を前記サーバ通信部を介して送信する関連コンテンツ再生指示ステップと、
前記関連コンテンツ再生指示信号を受信したコンテンツ再生装置の使用者のアクションを、前記サーバ通信部を介した通信に基づいて認識するアクション認識ステップと、
同一の関連コンテンツの再生を指示する前記関連コンテンツ再生指示信号を受信した複数のコンテンツ再生装置のうちのいずれかのコンテンツ再生装置の使用者のアクションが前記アクション認識ステップにおいて認識されたときには、当該関連コンテンツに対する付加コンテンツの重畳を指示する付加コンテンツ重畳指示信号を、当該複数のコンテンツ再生装置に前記サーバ通信部を介して送信する付加コンテンツ重畳指示ステップとを含むことを特徴とする。
【００３０】
本発明のコンテンツ配信方法をサーバに適用して実施することによって、上述した本発明のコンテンツ配信サーバと同様の作用効果を得ることができる。
【００３１】
本発明のコンテンツ再生システムは、
移動体で使用され、コンテンツ再生機能と、アクション認識機能と、現在位置検出機能及び目的地点設定機能の一方又は両方とを有する複数のコンテンツ再生装置と、
前記コンテンツ再生装置と通信を行うサーバ通信部と、地点とコンテンツとを関連付ける関連付情報を記憶するサーバ記憶部とを備えるコンテンツ配信サーバとを備えるシステムであって、
前記コンテンツ配信サーバは、
前記サーバ通信部を介した通信に基づいて、前記コンテンツ再生装置の現在位置、目的地点及び前記現在位置と前記目的地点とを結ぶルートに含まれる経由地点のうち少なくとも１つを含む位置情報を認識する位置認識部と、
前記それぞれのコンテンツ再生装置に対し、前記サーバ記憶部に記憶された関連付情報及び前記位置認識部により認識された位置情報に基づいて、前記コンテンツ再生装置の前記目的地点、前記経由地点、又は前記現在位置、前記目的地点若しくは前記経由地点から所定の距離内に存在する地点と関連付けられた前記コンテンツである関連コンテンツの再生を指示する関連コンテンツ再生指示信号を前記サーバ通信部を介して送信する関連コンテンツ再生指示部と、
前記関連コンテンツ再生指示信号を受信したコンテンツ再生装置の使用者のアクションを、前記サーバ通信部を介した通信に基づいて認識するアクション認識部と、
同一の関連コンテンツの再生を指示する前記関連コンテンツ再生指示信号を受信した複数のコンテンツ再生装置のうちのいずれかのコンテンツ再生装置の使用者のアクションが前記アクション認識部により認識されたときには、当該関連コンテンツに対する付加コンテンツの重畳を指示する付加コンテンツ重畳指示信号を、当該複数のコンテンツ再生装置に前記サーバ通信部を介して送信する付加コンテンツ重畳指示部とを備えることを特徴とする。
【００３２】
本発明のコンテンツ再生システムによって、上述した本発明のコンテンツ配信サーバと同様の作用効果を得ることができる。
【図面の簡単な説明】
【００３３】
【図１】本発明のコンテンツ再生システムの全体構成図。
【図２】第１実施形態のコンテンツ再生処理のフローチャート。
【図３】第１実施形態の第１番組作成処理のフローチャート。
【図４】作成された番組情報の１例を示す図。
【図５Ａ】第１実施形態のコンテンツ配信第１処理のフローチャート（前半）。
【図５Ｂ】第１実施形態のコンテンツ配信第１処理のフローチャート（後半）。
【図６】番組コンテンツの配信対象者を説明する図。
【図７】第２実施形態のコンテンツ再生処理のフローチャート。
【図８】第２実施形態の第２番組作成処理のフローチャート。
【図９】作成された番組情報の１例を示す図。
【図１０】第２実施形態のコンテンツ配信第２処理のフローチャート。
【発明を実施するための形態】
【００３４】
（構成）
図１に示されているコンテンツ再生システムは、ネットワークを介して相互通信可能なコンテンツ配信サーバ１０と、コンテンツ再生装置２０ｉを搭載した複数の移動体としての車両２ｉとにより構成されている。なお、ｉは、各コンテンツ再生装置２０ｉを区別するための添え字であり、１のコンテンツ再生装置２０ｉに対応する車両、又は使用者等についても、同一の添え字を使用する。
【００３５】
コンテンツ配信サーバ１０は、サーバ制御部１１、サーバ記憶部１２及びサーバ通信部１３を備えている。
【００３６】
サーバ制御部１１は、ＣＰＵ等により構成されている。
【００３７】
なお、サーバ制御部１１は、ナビゲーション部１１１、情報認識部１１２、番組作成部１１３及び再生指示部１１４を備える。ナビゲーション部１１１、情報認識部１１２、番組作成部１１３及び再生指示部１１４は、それぞれ後述の演算処理を実行するように構成されている。
【００３８】
本発明の構成要素が担当演算処理を実行するように「構成されている」とは、当該構成要素を構成するＣＰＵ等の演算処理装置が、ＲＯＭ、ＲＡＭ等のメモリ又は記録媒体から必要な情報に加えてソフトウェアを読み出し、当該情報に対して当該ソフトウェアにしたがって演算処理を実行するように「プログラムされている」又は「デザイン（設計）されている」ことを意味する。各構成要素が共通のプロセッサ（演算処理装置）により構成されてもよく、各構成要素が相互通信可能な複数のプロセッサにより構成されてもよい。
【００３９】
なお、情報認識部１１２が、本発明のコンテンツ配信サーバおよびコンテンツ再生システムの「位置認識部」及び「アクション認識部」を構成し、再生指示部１１４が、「関連コンテンツ再生指示部」及び「付加コンテンツ重畳指示部」を構成する。
【００４０】
サーバ制御部１１を構成するコンピュータの一部又は全部が、コンテンツ再生装置２０ｉの構成要素により構成されていてもよい。例えば、移動局としての一又は複数のコンテンツ再生装置２０ｉにより、コンテンツ配信サーバ１０の一部又は全部が構成されていてもよい。
【００４１】
サーバ記憶部１２は、ＲＡＭ、ＲＯＭ又はＨＤＤ等の記憶装置により構成され、種々の情報を記録するように構成されている。サーバ記憶部１２は、サーバ制御部１１による演算処理で使用されるデータを記憶及び読出可能に構成されている。
【００４２】
サーバ記憶部１２には、コンテンツ情報Ｃと、使用者情報Ｕと、ナビゲーション情報Ｎとが記憶されている。コンテンツ情報Ｃ、使用者情報Ｕ及びナビゲーション情報Ｎは、演算処理又は外部との通信により逐次更新されうる。
【００４３】
コンテンツ情報Ｃには、楽曲等の音楽コンテンツ情報Ｃ１と、写真、映画又は放送番組等の映像コンテンツ情報Ｃ２と、音楽コンテンツ情報Ｃ１及び映像コンテンツ情報Ｃ２の紹介を行うナレーション情報Ｃ３と、音楽コンテンツ情報Ｃ１、映像コンテンツ情報Ｃ２及びナレーション情報Ｃ３に重畳して再生可能な付加コンテンツ情報Ｃ４と、各コンテンツの情報のリストであるコンテンツリストＣ５と、コンテンツの配信順及び配信時刻を示す番組情報Ｃ６とが含まれている。これらに加え、観光情報及び時事ニュース等のコンテンツ情報が含まれていてもよい。
【００４４】
コンテンツリストＣ５は、例えば、表１に示されるように、コンテンツ名（又はコンテンツ識別子）、コンテンツがどのようなコンテンツであるかを示すコンテンツ種別、コンテンツと地点を関連付けるためのタグ、ＵＲＬ等のコンテンツ所在情報及び対応ナレーションを互いに関連付けるリストである。
【００４５】
【表１】
2017076204.tif 000003
【００４６】
使用者情報Ｕには、各使用者Ｍｉを特定するための使用者識別子情報Ｕ１と、各使用者Ｍｉの嗜好又は使用者Ｍｉのムードを示す嗜好・ムード情報Ｕ２と、職場又は自宅等の使用者Ｍｉの拠点に関する拠点情報Ｕ３と、及び各コンテンツ再生装置２０ｉの位置情報Ｕ４とが含まれている。嗜好・ムード情報Ｕ２、拠点情報Ｕ３、位置情報Ｕ４は、それぞれ使用者識別子情報Ｕ１と関連付けて保存されている。各使用者Ｍｉの嗜好は、使用者Ｍｉのコンテンツ配信サーバ１０のサービスの使用者登録の際に設定され、使用者Ｍｉのムードは、使用者のコンテンツ再生装置２０ｉに対する操作によって設定されうる。
【００４７】
ナビゲーション情報Ｎには、渋滞等の交通状況を示す交通情報Ｎ１と、各道路、各交差点及び各施設をリンク及びノードで表した地図情報Ｎ２と、地点リストＮ３と、地点種別リストＮ４とが含まれている。
【００４８】
地点リストＮ３は、表２に示されるように、海岸、歌劇場、演劇場、海水浴場、遊園地及び飲食店といった各地点（施設）について、当該地点の地点名（又は地点ＩＤ）と当該地点の特性を示す地点種別とを互いに関連付けたリストである。
【００４９】
【表２】
2017076204.tif 000004
【００５０】
地点種別リストＮ４は、表３に示されるように、地点種別と、季節と、到着予定時刻と、コンテンツとの関連を示すタグとを互いに関連付けたリストである。
【００５１】
なお、「コンテンツリストＣ５」、「地点リストＮ３」及び「地点種別リストＮ４」とにより、本発明のコンテンツ配信サーバ、コンテンツ配信方法及びコンテンツ再生システムの「関連付情報」が構成される。
【００５２】
【表３】
2017076204.tif 000005
【００５３】
サーバ通信部１３は、有線又はＷｉＦｉ（登録商標）等の遠距離での無線通信に適した通信規格にしたがってコンテンツ再生装置２０ｉ等の外部端末と相互通信するように構成されている。
【００５４】
車両２ｉには、コンテンツ再生装置２０ｉと、コンテンツ再生装置２０ｉに接続され、車両２ｉの各状態を示す信号を再生するセンサ部２８ｉとが搭載されている。
【００５５】
コンテンツ再生装置２０ｉは、コンテンツ再生装置２０ｉの使用者Ｍｉ（移動体の乗員）が搭乗する車両２ｉに搭載可能なようにサイズ等が設計されている情報端末である。
【００５６】
コンテンツ再生装置２０ｉは、タブレット型端末又はスマホ等、使用者Ｍｉによる携帯が可能なようにサイズ、形状及び重量が設計されている情報端末により構成されてもよい。
【００５７】
コンテンツ再生装置２０ｉは、再生装置制御部２１ｉ、再生装置記憶部２２ｉ、再生装置無線通信部２３ｉ、スピーカ２４ｉ、タッチパネル２５ｉ、マイク２６ｉ及びカメラ２７ｉを備えている。
【００５８】
再生装置制御部２１ｉは、ＣＰＵ等により構成されている。再生装置制御部２１ｉには、コンテンツ再生アプリがインストールされている。コンテンツ再生アプリが起動されることにより、再生装置制御部２１ｉは、後述の演算処理を実行するように構成されている。
【００５９】
再生装置制御部２１ｉは、再生装置記憶部２２ｉ、再生装置無線通信部２３ｉ、スピーカ２４ｉ、タッチパネル２５ｉ、マイク２６ｉ及びカメラ２７ｉと情報を送受信可能なように構成されている。
【００６０】
再生装置記憶部２２ｉは、ＲＡＭ、ＲＯＭ又はＨＤＤ等の記憶装置により構成され、種々の情報を記録するように構成されている。再生装置記憶部２２ｉは、再生装置制御部２１ｉによる演算処理で使用されるデータを記憶及び読出可能に構成されている。
【００６１】
再生装置無線通信部２３ｉは、ＷｉＦｉ（登録商標）等の遠距離での無線通信に適した通信規格にしたがってコンテンツ配信サーバ１０等の外部端末と相互通信するように構成されている。
【００６２】
スピーカ２４ｉは、再生装置制御部２１ｉから入力された信号に応じて、音声を再生するように構成されている。また、スピーカ２４ｉは、再生している音声等を含む動作状況を示す信号を再生装置制御部２１ｉに出力するように構成されている。
【００６３】
タッチパネル２５ｉは、タッチパッドのような使用者Ｍｉのタッチ操作を検知する入力装置と、液晶パネルのような表示装置とが組み合わせられて構成されている。すなわち、タッチパネルは、入力インターフェース及び出力インターフェースのそれぞれとして機能しうる。タッチパネルには、再生装置制御部２１ｉにインストールされているアプリ（コンテンツ再生アプリ）の機能に応じた機能画像又はナビゲーション画像が表示される。タッチパネル２５ｉでタッチ操作が検知されると、当該タッチ操作に対応する信号が再生装置制御部２１ｉへ出力される。タッチパネル２５ｉに代えて又は加えて、ボタン、キーボード及びマウス等の使用者Ｍｉの操作検知可能な入力装置と、ディスプレイ等、画像を表示可能な表示装置とが用いられてもよい。
【００６４】
マイク２６ｉは、使用者Ｍｉの音声を検知し、検知した音声を信号として再生装置制御部２１ｉに出力するように構成されている。マイク２６ｉは、スピーカ２４ｉから再生される音声が全く又はほとんど入力されないような位置に配置されている。これに代えて又は加えて、再生装置制御部２１ｉが入力された信号から、スピーカ２４ｉから再生されている音声及び車両２ｉの動作音等の環境音を除去することにより、使用者Ｍｉの音声を認識するように構成されていてもよい。
【００６５】
カメラ２７ｉは、車両２ｉの内部を撮影し、撮像した画像を信号化して再生装置制御部２１ｉに再生するように構成されている。
【００６６】
センサ部２８ｉは、車両２ｉの現在位置Ｐｉを取得するＧＰＳセンサ２８ａｉと、車両２ｉの移動速度を取得する車速センサ２８ｂｉと、車両２ｉの角速度を取得するジャイロセンサ２８ｃｉとを備えている。センサ部２８ｉは、各センサ２８ａｉ〜２８ｃｉの信号をコンテンツ再生装置２０ｉに出力するように構成されている。
【００６７】
（第１実施形態のコンテンツ再生処理の概要）
次に、図２を参照して、第１実施形態のコンテンツ配信サーバ１０から各コンテンツ再生装置２０ｉへコンテンツを配信するコンテンツ再生処理の概要を説明する。
【００６８】
図２のＳＴＥＰ１００において、サーバ制御部１１（番組作成部１１３）は、後述する第１番組作成処理（図３）を実行する。第１番組作成処理により、地点リストＮ３（表２参照）に含まれる各地点ごとにコンテンツの配信順と配信時刻とを定める番組情報Ｃ６が生成される。
【００６９】
図２のＳＴＥＰ２００において、再生装置制御部２１ｉは、再生装置制御部２１ｉの使用者Ｍｉの使用者ＩＤと、ＧＰＳセンサ２８ａｉから取得した車両２ｉ（コンテンツ再生装置２０ｉ）の現在位置Ｐｉと、タッチパネル２５ｉに入力された車両２ｉ（コンテンツ再生装置２０ｉ）の目的地点Ｇｉとを認識する（現在位置検出機能及び目的地点設定機能）。
【００７０】
図２のＳＴＥＰ２１０において、再生装置制御部２１ｉは、車両２ｉの現在位置Ｐｉと、車両２ｉの目的地点Ｇｉとを含むルート探索要求及びコンテンツ配信要求とを再生装置無線通信部２３ｉを介してコンテンツ配信サーバ１０に対して送信する。
【００７１】
情報認識部１１２がルート探索要求及びコンテンツ配信要求を受信すると（図２のＳＴＥＰ１２０でＹＥＳ）、図２のＳＴＥＰ１４０において、ナビゲーション部１１１は、認識した車両２ｉの現在位置Ｐｉ及び目的地点Ｇｉに基づいて、サーバ記憶部１２に記憶されたナビゲーション情報Ｎ（交通情報Ｎ１及び地図情報Ｎ２）を参照することにより、現在位置Ｐｉと目的地点Ｇｉとを結ぶルートＲｉを探索し、当該ルートＲｉの所定の位置を示す座標値等の当該ルートＲｉを特定するのに必要なルート情報ＲＩｉをサーバ通信部１３を介して、コンテンツ再生装置２０ｉに送信する。
【００７２】
なお、情報認識部１１２は、ルート探索要求及びコンテンツ配信要求を受信しない場合（図２のＳＴＥＰ１２０でＮＯ）、再度、図２のＳＴＥＰ１２０の判定を実行する。
【００７３】
再生装置制御部２１ｉは、再生装置無線通信部２３ｉを介してコンテンツ配信サーバ１０からルート情報ＲＩｉを受信すると（図２のＳＴＥＰ２２０でＹＥＳ）、図２のＳＴＥＰ２３０において、ルート情報ＲＩｉに基づいて、ルートＲｉを描画し、タッチパネル２５ｉに表示させることによりナビゲーションを開始する。これに加え、再生装置制御部２１ｉは、ルート情報ＲＩｉに基づいて、スピーカ２４ｉを介して、音声によるナビゲーションを実行してもよい。
【００７４】
再生装置制御部２１ｉは、ルート情報ＲＩｉを受信しない場合（図２のＳＴＥＰ２２０でＮＯ）、再度、図２のＳＴＥＰ２２０の判定を実行する。
【００７５】
ナビゲーションを開始後、図２のＳＴＥＰ２４０において、再生装置制御部２１ｉは、マイク２６ｉにより集音された使用者Ｍｉの発声又はカメラ２７ｉにより撮像された使用者Ｍｉの所定の動作等の使用者ＭｉのアクションＡＴｉ、ＧＰＳセンサ２８ａｉにより測定された車両２ｉの現在位置Ｐｉ、及びスピーカ２４ｉで再生中のコンテンツの状況ＣＳｉを認識する（アクション認識機能及び現在位置検出機能）。
【００７６】
図２のＳＴＥＰ２５０において、再生装置制御部２１ｉは、認識した使用者ＭｉのアクションＡＴｉ、車両２ｉの現在位置Ｐｉ、及び再生中のコンテンツの状況ＣＳｉを再生装置無線通信部２３ｉを介してコンテンツ配信サーバ１０に送信する。
【００７７】
情報認識部１１２が、サーバ通信部１３を介して、コンテンツ再生装置２０ｉから使用者ＭｉのアクションＡＴｉ、車両２ｉの現在位置Ｐｉ、及び再生中のコンテンツの状況ＣＳｉを受信すると（図２のＳＴＥＰ１５０でＹＥＳ）、サーバ制御部１１（再生指示部１１４）は、図２のＳＴＥＰ１６０において、後述するコンテンツ配信第１処理を実行する。
【００７８】
なお、情報認識部１１２は、各情報を受信しない場合（図２のＳＴＥＰ１５０でＮＯ）、再度、図２のＳＴＥＰ１５０の判定を実行する。
【００７９】
当該コンテンツ配信第１処理では、再生指示部１１４によって、コンテンツ再生装置２０ｉに対し、コンテンツ再生装置２０ｉから使用者ＭｉのアクションＡＴｉ、車両２ｉの現在位置Ｐｉ、及び再生中のコンテンツの状況ＣＳｉ並びに使用者Ｍｉの拠点、嗜好及びムードに応じたコンテンツの再生を指示する信号（コンテンツ再生指示信号Ｄｊ）又は付加コンテンツ重畳指示信号ＤＳｊがサーバ通信部１３を介して送信される。ここで、ｊは各指示信号を区別するための添え字である。
【００８０】
再生装置制御部２１ｉは、再生装置無線部２３ｉを介してコンテンツ配信サーバ１０からコンテンツ再生指示信号Ｄｊ又は付加コンテンツ重畳指示信号ＤＳｊを受信すると（図２のＳＴＥＰ２６０でＹＥＳ）、図２のＳＴＥＰ２７０において、スピーカ２４ｉ及びタッチパネル２５ｉを介してコンテンツ再生指示信号Ｄｊ又は付加コンテンツ重畳指示信号ＤＳｊで指定されたコンテンツを再生（重畳）する（コンテンツ再生機能）。
【００８１】
ここで、再生装置制御部２１ｉは、コンテンツ再生指示信号Ｄｊ（又は付加コンテンツ重畳指示信号ＤＳｊ）としてコンテンツＩＤを受信した場合には、再生装置記憶部２２ｉに記憶されているコンテンツのうち、当該コンテンツＩＤを有するコンテンツのデータを再生する。また、再生装置制御部２１ｉは、コンテンツ再生指示信号Ｄｊ（又は付加コンテンツ重畳指示信号ＤＳｊ）としてコンテンツ自体のデータ（音楽ファイル等）を受信した場合には、当該コンテンツのデータを再生する。また、再生装置制御部２１ｉは、コンテンツ再生指示信号Ｄｊ（又は付加コンテンツ重畳指示信号ＤＳｊ）としてコンテンツの所在情報（ＵＲＬ等）を受信した場合には、当愛所在情報に基づいて外部からコンテンツのデータを取得し、取得したコンテンツのデータを再生する。
【００８２】
再生装置制御部２１ｉは、コンテンツ再生指示信号Ｄｊ（又は付加コンテンツ重畳指示信号ＤＳｊ）を受信しない場合（図２のＳＴＥＰ２６０でＮＯ）、再度、図２のＳＴＥＰ２６０の判定を実行する。
【００８３】
再生装置制御部２１ｉは、図２のＳＴＥＰ２４０以下の処理を再び実行する。
【００８４】
（第１番組作成処理）
次に、図３〜図４を参照しながら、サーバ制御部１１（番組作成部１１３）がコンテンツの配信順と配信時刻とを定める番組情報Ｃ６を作成する第１番組作成処理（図２のＳＴＥＰ１００）を説明する。
【００８５】
図３のＳＴＥＰ１０１において、番組作成部１１３は、サーバ記憶部１２に記憶された地点リストＮ３（表２参照）を参照することにより、番組を作成する基準地点である番組作成対象地点ＢＣｋ（例えば地点名「○○海岸」）を認識する。なお、ｋは、各番組作成対象地点を区別するための添え字であり、後述する、各番組作成対象地点ＢＣｋに対応する番組配信基準地点ＢＢｋについても、同一のｋを用いて表す。
【００８６】
図３のＳＴＥＰ１０２において、番組作成部１１３は、サーバ記憶部１２に記憶されたコンテンツリストＣ５（表１参照）を参照することにより、番組作成対象地点ＢＣｋに関連したコンテンツを配信対象コンテンツリストに加える。
【００８７】
より具体的には、番組作成部１１３は、番組作成対象地点ＢＣｋの地点名（又は地点ＩＤ）をタグとして持つコンテンツを配信対象コンテンツリストに加える。例えば、番組作成部１１３は、「○○海岸」に対しては、「○○海岸」をタグとして有するコンテンツ「楽曲Ｘ１」を配信対象コンテンツリストに加える。
【００８８】
図３のＳＴＥＰ１０３において、番組作成部１１３は、サーバ記憶部１２に記憶された地点リストＮ３（表２参照）及びコンテンツ配信サーバ１０の時計機能（不図示）を参照することにより、番組作成対象地点ＢＣｋ（例えば地点名「○○海岸」）の地点種別及び季節を認識する。例えば、番組作成部１１３は、「○○海岸」に対しては、地点種別「海岸」を認識し、コンテンツ配信サーバ１０の時計機能から現在の日付を認識し、当該日付に基づいて、季節を認識する。
【００８９】
図３のＳＴＥＰ１０４において、番組作成部１１３は、サーバ記憶部１２に記憶されたコンテンツリストＣ５（表１参照）及び地点種別リストＮ４（表３参照）を参照することにより、番組作成対象地点ＢＣｋの地点種別に関連したコンテンツを配信対象コンテンツリストに加える。
【００９０】
例えば、番組作成部１１３は、番組作成対象地点ＢＣｋ「○○海岸」の地点種別が「海岸」であり、現在の季節の季節が「夏」である場合、地点種別リストＮ４に基づいて、タグ「屋外」「サーフィン」「海水浴」「花火」を認識する。そして、番組作成部１１３は、コンテンツリストＣ５に基づいて、当該タグ「屋外」「サーフィン」「海水浴」「花火」を有するコンテンツ「天気予報」「楽曲Ｘ１」「漫才Ｘ３」を認識する。番組作成部１１３は、このようにして認識したコンテンツ「天気予報」「楽曲Ｘ１」「漫才Ｘ３」を配信対象コンテンツリストに加える。
【００９１】
図３のＳＴＥＰ１０５において、番組作成部１１３は、配信対象コンテンツリストに含まれたコンテンツの配信順を決定することにより、コンテンツ配信順を規定した配信順リストを作成する。例えば、番組作成部１１３は、ランダムにコンテンツの配信順を決定してもよいし、コンテンツの再生時間順でコンテンツの配信順を決定してもよいし、同一又は類似したタグを有するコンテンツを連続するようにコンテンツの配信順を決定してもよい。
【００９２】
図３のＳＴＥＰ１０６において、番組作成部１１３は、コンテンツリストＣ５を参照することにより、各コンテンツに対応するナレーションを、配信順リストに差し込む。
【００９３】
図３のＳＴＥＰ１０７において、番組作成部１１３は、当該配信順リストに含まれる各コンテンツの配信時刻を決定する。例えば、番組作成部１１３は、コンテンツ配信サーバ１０の管理者によりあらかじめ定められた時刻から各コンテンツの配信順及び再生時間に基づいて、各コンテンツの配信時刻を決定する。
【００９４】
この結果、例えば、図４に示されるように、「○○海岸」について、１０：００を「楽曲Ｘ１」に対応する「ナレーションＹ１」の配信時刻とし、１０：１５を「漫才Ｘ３」に対応する「ナレーションＹ３」の配信時刻とし、１０：３０を「天気予報」の配信時刻とする番組情報Ｃ６が作成される。
【００９５】
図３のＳＴＥＰ１０８において、番組作成部１１３は、番組作成対象地点ＢＣｋすべてに対してＳＴＥＰ１０１〜ＳＴＥＰ１０７の処理を完了したか否かを判定する。
【００９６】
当該判定結果が否定的な場合（図３のＳＴＥＰ１０８‥ＮＯ）、番組作成部１１３は、未処理の番組作成対象地点ＢＣｋについて、ＳＴＥＰ１０１〜ＳＴＥＰ１０７の処理を実行する。
【００９７】
当該判定結果が肯定的な場合（図３のＳＴＥＰ１０８‥ＹＥＳ）、番組作成部１１３は、第１番組作成処理を終了する。
【００９８】
この第１番組作成処理により、図４に示されるように、各番組作成対象地点ＢＣｋごとに、コンテンツの配信順及び配信時刻を規定する番組情報Ｃ６が作成される。
【００９９】
（コンテンツ配信第１処理）
次に、図５Ａ及び図５Ｂを参照しながら、サーバ制御部１１（再生指示部１１４）により実行される図２のＳＴＥＰ１６０のコンテンツ配信第１処理を説明する。本処理は、すでに説明したように、各コンテンツ再生装置２０ｉからＳＴＥＰ１２０で目的地点Ｇｉを受信し、かつ、逐次ＳＴＥＰ１５０で使用者ＭｉのアクションＡＴｉ、車両２ｉの現在位置Ｐｉ及び再生中のコンテンツの状況ＣＳｉを受信している状態で実行される。
【０１００】
図５ＡのＳＴＥＰ１６１で、再生指示部１１４は、車両２ｉの現在位置Ｐｉ及び目的地点Ｇｉに基づいて、サーバ記憶部１２に記憶された地点リストＮ３を参照することにより、番組を配信する基準地点である番組配信基準地点ＢＢｋを認識する。より具体的には、再生指示部１１４は、車両２ｉの現在位置Ｐｉから所定距離Ｌ０（図６参照）内にある地点リストＮ３に含まれる地点を番組配信基準地点ＢＢｋとして認識する。再生指示部１１４は、番組配信基準地点ＢＢｋの候補が複数ある場合には、ランダムに１つの番組配信基準地点ＢＢｋを選択する。また、再生指示部１１４は、車両２ｉの目的地点Ｇｉが番組配信基準地点ＢＢｋの候補である場合には、車両２ｉの目的地点Ｇｉを、他の地点に優先し、番組配信基準地点ＢＢｋとして設定する。
【０１０１】
図５ＡのＳＴＥＰ１６２で、再生指示部１１４は、処理対象のコンテンツ再生装置２０ｉに対し、番組配信基準地点ＢＢｋの番組コンテンツを配信中か否かを判定する。なお、番組コンテンツが、本発明のコンテンツ配信サーバ、コンテンツ配信方法及びコンテンツ再生システムの「関連コンテンツ」に相当する。
【０１０２】
当該判定結果が肯定的である場合（図５ＡのＳＴＥＰ１６２‥ＹＥＳ）、再生指示部１１４は、図５ＢのＳＴＥＰ１７３以下の処理を実行する。
【０１０３】
当該判定結果が否定的である場合（図５ＡのＳＴＥＰ１６２‥ＮＯ）、図５ＡのＳＴＥＰ１６３で、再生指示部１１４は、サーバ記憶部１２の拠点情報Ｕ３を参照することにより、コンテンツ再生装置２０ｉの使用者Ｍｉが番組配信基準地点ＢＢｋの番組コンテンツの配信対象者であるか否かを判定する。
【０１０４】
本実施形態では、コンテンツ再生装置２０ｉの目的地点Ｇｉ、現在位置Ｐｉ及びルートＲｉ並びにコンテンツ再生装置２０ｉの使用者Ｍｉの拠点Ｈｉに応じて、コンテンツ再生装置２０ｉの使用者Ｍｉを以下の（１）〜（９）の９種類に分けて説明する。また、番組配信基準地点ＢＢｋを、図６に示される番組配信基準地点ＢＢ１とし、番組配信基準地点ＢＢ１から所定距離Ｌ０内の地域を破線で囲んだ地域Ａ１として説明する。
【０１０５】
（１）目的地点Ｇ１が番組配信基準地点ＢＢ１であり、拠点Ｈ１が地域Ａ１の外部であり、車両２ｉ（ｉ＝１）の現在位置Ｐ１が地域Ａ１の内部である使用者Ｍ１。
【０１０６】
（２）目的地点Ｇ３が番組配信基準地点ＢＢ１であり、拠点Ｈ２が地域Ａ１の外部であり、車両２ｉ（ｉ＝２）の現在位置Ｐ２が地域Ａ１の外部である使用者Ｍ２。
【０１０７】
（３）目的地点Ｇ３が番組配信基準地点ＢＢ１であり、拠点Ｈ３が地域Ａ１の内部であり、車両２ｉ（ｉ＝３）の現在位置Ｐ３が地域Ａ１の内部である使用者Ｍ３。
【０１０８】
（４）目的地点Ｇ４が番組配信基準地点ＢＢ１と異なる拠点Ｈ４であり、拠点Ｈ４が地域Ａ１の外部であり、車両２ｉ（ｉ＝４）の現在位置Ｐ４が地域Ａ１の内部である使用者Ｍ４。
【０１０９】
（５）目的地点Ｇ５が番組配信基準地点ＢＢ１と異なる地域Ａ１内部の地点Ｇ２（非番組配信基準地点ＢＢｋ）であり、拠点Ｈ５が地域Ａ１の外部であり、車両２ｉ（ｉ＝５）の現在位置Ｐ５が地域Ａ１の内部である使用者Ｍ５。
【０１１０】
（６）目的地点Ｇ６が番組配信基準地点ＢＢ１と異なる地点Ｇ３（番組配信基準地点ＢＢｋ）であり、現在位置Ｐ６から地点Ｇ３までの距離が近く、拠点Ｈ６が地域Ａ１の外部であり、車両２ｉ（ｉ＝６）の現在位置Ｐ６が地域Ａ１の内部である使用者Ｍ６。
【０１１１】
（７）目的地点Ｇ７が番組配信基準地点ＢＢ１と異なる地点Ｇ４（番組配信基準地点ＢＢｋ）であり、現在位置Ｐ７から地点Ｇ４までの距離が遠く、拠点Ｈ７が地域Ａ１の外部であり、車両２ｉ（ｉ＝７）の現在位置Ｐ７が地域Ａ１の内部である使用者Ｍ７。
【０１１２】
（８）目的地点Ｇ８が設定されておらず、拠点Ｈ８が地域Ａ１の外部であり、車両２ｉ（ｉ＝８）の現在位置Ｐ８が地域Ａ１の内部である使用者Ｍ８。
【０１１３】
（９）目的地点Ｇ９が設定されておらず、拠点Ｈ９が地域Ａ１の内部であり、車両２ｉ（ｉ＝９）の現在位置Ｐ９が地域Ａ１の内部である使用者Ｍ９。
【０１１４】
これらのうち、（１）〜（３）の使用者Ｍｉ（ｉ＝１〜３）は番組配信基準地点ＢＢ１が目的地点Ｇｉ（ｉ＝１〜３）であるので、番組配信基準地点ＢＢ１の番組コンテンツを使用者Ｍｉ（ｉ＝１〜３）に視聴させることにより、使用者Ｍｉ（ｉ＝１〜３）の気分を高揚させることが出来ると推察される。このため、再生指示部１１４は、使用者Ｍｉ（ｉ＝１〜３）を配信対象者と判定する。
【０１１５】
（４）の使用者Ｍ４は現在拠点Ｈ４へ帰還中であるので、番組配信基準地点ＢＢ１の番組コンテンツを視聴させても、さほど使用者Ｍ４の気分が高揚しない可能性がある。このため、再生指示部１１４は、使用者Ｍ４を非配信対象者と判定する。
【０１１６】
（５）の使用者Ｍ５は、非番組配信基準地点ＢＢ２に向かって移動している。非番組配信基準地点ＢＢ２は、番組配信基準地点ＢＢ１から所定距離内（使用者Ｍ５の現在位置Ｐ５から非番組配信基準地点ＢＢ２までの距離Ｌ１≦所定距離Ｌ０）であるので、番組配信基準地点ＢＢ１の番組コンテンツを使用者Ｍ５に視聴させることにより、使用者Ｍ５の気分を高揚させることが出来ると推察される。このため、再生指示部１１４は、使用者Ｍ５を配信対象者と判定する。
【０１１７】
（６）の使用者Ｍ６は、現在位置Ｐ６から距離が近い番組配信基準地点ＢＢ３に向かって移動している。ここで、現在位置Ｐ６から番組配信基準地点ＢＢ３までの距離が近いとは、以下の関係式が成り立つことを言う。
現在位置Ｐ６から番組配信基準地点ＢＢ３までの距離Ｌ２  ≦  現在位置Ｐ６から番組配信基準地点ＢＢ１までの距離Ｌ３＋所定距離Ｌ０
【０１１８】
すなわち、上記関係式が成り立つ場合、使用者Ｍ６が現在位置Ｐ６から番組配信基準地点ＢＢ１に向かって移動したとしても、番組配信基準地点ＢＢ１に到達する前に、使用者Ｍ６の現在位置Ｐ６が番組配信基準地点ＢＢ３から所定距離Ｌ０内となり、使用者Ｍ６が番組配信基準地点ＢＢ３の番組コンテンツの配信対象者となる（すなわち、使用者Ｍ６が番組配信基準地点ＢＢ１の番組コンテンツの配信対象者から外れる）蓋然性が高い。
【０１１９】
この場合、仮に使用者Ｍ６に番組配信基準地点ＢＢ１の番組コンテンツを配信しても、番組配信基準地点ＢＢ１に到達する前に当該番組コンテンツの配信が中断されることとなり、使用者Ｍ６の気分が盛り下がってしまうおそれがある。このため、再生指示部１１４は、使用者Ｍ６を非配信対象者と判定する。
【０１２０】
（７）の使用者Ｍ７は、現在位置Ｐ７から距離が遠い番組配信基準地点ＢＢ４（番組配信基準地点ＢＢｋ）に移動している。ここで、現在位置Ｐ７から番組配信基準地点ＢＢ４までの距離が遠いとは、以下の関係式が成り立つことを言う。
現在位置Ｐ７から番組配信基準地点ＢＢ４までの距離  ＞  現在位置Ｐ７から番組配信基準地点ＢＢ１＋所定距離Ｌ０
【０１２１】
すなわち、上記関係式が成り立つ場合、使用者Ｍ７が現在位置Ｐ７から番組配信基準地点ＢＢ１に到達するまでは、使用者Ｍ７の現在位置Ｐ７が番組配信基準地点ＢＢ４から所定距離Ｌ０内とはならず、使用者Ｍ７に対し、番組配信基準地点ＢＢ１の番組コンテンツの配信を継続できる蓋然性が高い。従って、使用者Ｍ７に対し、番組配信基準地点ＢＢ１の番組コンテンツを配信することにより、使用者Ｍ７の気分を高揚させることが出来ると推察される。このため、再生指示部１１４は、使用者Ｍ７を配信対象者と判定する。
【０１２２】
（８）の使用者Ｍ８は、目的地点Ｇ８を設定せずに地域Ａ１の内部を移動している。使用者Ｍ８の拠点Ｈ８は、地域Ａ１の外部に存在するから、使用者Ｍ８は、さほど地域Ａ１（番組配信基準地点ＢＢ１の周辺）に来る機会がないと推察される。このため、使用者Ｍ８に対し、番組配信基準地点ＢＢ１の番組コンテンツを配信することにより、使用者Ｍ８の気分を高揚させることが出来ると推察される。このため、再生指示部１１４は、使用者Ｍ８を配信対象者と判定する。
【０１２３】
（９）の使用者Ｍ９は、目的地点Ｇ９を設定せずに地域Ａ１の内部を移動している。使用者Ｍ９の拠点Ｈ９は、地域Ａ１の内部に存在するから、使用者Ｍ９は、頻繁に地域Ａ１（番組配信基準地点ＢＢ１の周辺）を移動すると推察される。このため、使用者Ｍ９に対し、番組配信基準地点ＢＢ１の番組コンテンツを配信しても、使用者Ｍ９の気分をさほど高揚させることはできないと推察される。このため、再生指示部１１４は、使用者Ｍ９を非配信対象者と判定する。
【０１２４】
再生指示部１１４が、コンテンツ再生装置２０ｉの使用者Ｍｉが番組配信基準地点ＢＢｋの番組コンテンツの配信対象者ではない（非配信対象者である）と判定した場合（図５ＡのＳＴＥＰ１６３でＮＯ）、再生指示部１１４は、図５ＢのＳＴＥＰ１７８で、当該コンテンツ再生装置２０ｉに対し、一般的なコンテンツを送信する。
【０１２５】
再生指示部１１４が、コンテンツ再生装置２０ｉの使用者Ｍｉが番組配信基準地点ＢＢｋの番組コンテンツの配信対象者であると判定した場合（図５ＡのＳＴＥＰ１６３でＹＥＳ）、再生指示部１１４は、図５ＡのＳＴＥＰ１６４で、当該コンテンツ再生装置２０ｉの現在位置Ｐｉが地域Ａ１の外側のコンテンツ配信準備エリアＡ２（番組配信基準地点ＢＢ１からＬ０よりも大きい所定距離内のエリア）内に存在しているか否かを判定する。
【０１２６】
なお、図６に示される目的地点Ｇｉを設定していない使用者Ｍ８のコンテンツ再生装置２０ｉに対しては、再生指示部１１４は、使用者Ｍ８のコンテンツ再生装置２０ｉがコンテンツ配信準備エリアＡ２内に存在しているか否かの判定に代えて、コンテンツ配信準備エリアＡ２より内側の地域Ａ１内に存在しているか否かを判定する。使用者Ｍ８がコンテンツ配信準備エリアＡ２に到達したとしても、番組配信を行いたい地域Ａ１に入るか否か不明であるためである。
【０１２７】
当該判定結果が否定的である場合（図５ＡのＳＴＥＰ１６４でＮＯ）、再生指示部１１４は、図５ＢのＳＴＥＰ１７８で、当該コンテンツ再生装置２０ｉに対し、一般的なコンテンツを送信する。
【０１２８】
当該判定結果が肯定的である場合（図５ＡのＳＴＥＰ１６４でＹＥＳ）、図５ＡのＳＴＥＰ１６５で、再生指示部１１４は、コンテンツ再生装置２０ｉで再生中のコンテンツの状況ＣＳｉ（既再生時間及び再生残り時間）を認識する。
【０１２９】
図５ＡのＳＴＥＰ１６６で、再生指示部１１４は、再生中のコンテンツの状況ＣＳｉ及び番組情報Ｃ６に基づいて、番組コンテンツの配信開始時刻を決定する。
【０１３０】
具体的には、使用者Ｍ２がコンテンツ配信準備エリアＡ２（図６参照）に入った時刻が図４に示される時刻Ｔ１（他の使用者Ｍｉ（ｉ≠２）への楽曲Ｘ４の配信中）であり、かつ、使用者Ｍ２のコンテンツ再生装置２０ｉ（ｉ＝２）で再生中のコンテンツを次回のコンテンツ（演歌Ｘ２）の配信開始（又は当該コンテンツ（演歌Ｘ２）のナレーションＹ２の配信開始時刻）Ｔ２までに終了又は中断させることが出来る場合、再生指示部１１４は、次回のコンテンツ（演歌Ｘ２）の配信開始時刻（又は当該コンテンツ（演歌Ｘ２）のナレーションＹ２の配信開始時刻）Ｔ２を配信開始時刻とする。
【０１３１】
他方、使用者Ｍ２の車両２ｉがコンテンツ配信準備エリアＡ２（図６参照）に入った時刻が図４に示される時刻Ｔ３（他の使用者Ｍｉ（ｉ≠２）への楽曲Ｘ１の配信中）であり、かつ、使用者Ｍ２のコンテンツ再生装置２０ｉ（ｉ＝２）で再生中のコンテンツを次回のコンテンツ（演歌Ｘ２）の配信開始（又は当該コンテンツ（演歌Ｘ２）のナレーションＹ２の配信開始時刻）Ｔ４までに終了又は中断させることが出来ない場合、再生指示部１１４は、次々回のコンテンツ（オーケストラＸ５）の配信開始時刻（又は当該コンテンツ（演歌Ｘ２）のナレーションＹ２の配信開始時刻）Ｔ５を配信開始時刻とする。
【０１３２】
再生指示部１１４は、図５ＡのＳＴＥＰ１６７で、決定した配信開始時刻まで待機したのち、図５ＢのＳＴＥＰ１６８で、コンテンツ再生装置２０ｉが再生中のコンテンツがあるか否かを判定する。
【０１３３】
当該判定結果が肯定的である場合（図５ＢのＳＴＥＰ１６８でＹＥＳ）、図５ＢのＳＴＥＰ１６９で、再生指示部１１４は、コンテンツ再生装置２０ｉに当該再生中のコンテンツの再生を中断させる指示を送信する。
【０１３４】
当該判定結果が否定的である場合（図５ＢのＳＴＥＰ１６８でＮＯ）又は図５ＢのＳＴＥＰ１６９の処理の後、図５ＢのＳＴＥＰ１７０で、再生指示部１１４は、配信すべき番組コンテンツのバージョンを決定する。
【０１３５】
例えば、所定人数よりも少ない人数が当該番組コンテンツを視聴している場合、後述する付加コンテンツが付加されても、さほどにぎやかにならず、盛り上がりを演出できない可能性がある。このような場合には、再生指示部１１４は、ライブ演奏（音楽コンテンツの場合）又は劇場版（映像コンテンツの場合）のバージョンのコンテンツを配信するように決定する。
【０１３６】
他方、所定人数よりも多い人数が当該番組コンテンツを視聴している場合、後述する付加コンテンツが付加されることにより、ある程度にぎやかになり、盛り上がりを演出できうると考えられる。
【０１３７】
このような場合、ライブ演奏又は劇場版ではない通常のバージョンのコンテンツを配信するように決定する。
【０１３８】
図５ＢのＳＴＥＰ１７１で、再生指示部１１４は、番組情報Ｃ６及びコンテンツリストＣ５を参照することにより、配信すべき番組コンテンツのコンテンツ種別を認識する。
【０１３９】
例えば、番組コンテンツが「楽曲Ｘ１」である場合、再生指示部１１４は、表１に従い、コンテンツ種別「盛り上がる」を認識する。
【０１４０】
また、番組コンテンツが「漫才Ｘ３」である場合、再生指示部１１４は、表１に従い、コンテンツ種別「面白い」を認識する。
【０１４１】
図５ＢのＳＴＥＰ１７２で、再生指示部１１４は、嗜好・ムード情報Ｕ２を参照することにより、当該配信すべき番組コンテンツのコンテンツ種別が使用者Ｍｉの嗜好・ムード設定に沿っているか否かを判定する。
【０１４２】
例えば、使用者Ｍｉが「面白い」コンテンツを好まないと登録していた場合、コンテンツ種別が「面白い」である「漫才Ｘ３」は使用者Ｍｉの嗜好・ムード設定に沿っていないと判定される。
【０１４３】
また、使用者Ｍｉのムードが「盛り上がりたい」であった場合、コンテンツ種別が「盛り上がる」である「楽曲Ｘ１」は使用者Ｍｉの嗜好・ムード設定に沿っていると判定される。
【０１４４】
なお、使用者Ｍｉの嗜好とムード設定とが矛盾する場合、使用者Ｍｉの最新の要求を表していると推察されるムード設定が優先されて適用される。
【０１４５】
当該判定結果が否定的である場合（図５ＢのＳＴＥＰ１７２でＮＯ）、図５ＢのＳＴＥＰ１７７で、再生指示部１１４は、使用者Ｍｉの嗜好・ムードに合致したコンテンツを選択し、コンテンツ再生装置２０ｉに送信する。
【０１４６】
当該判定結果が肯定的である場合（図５ＢのＳＴＥＰ１７２でＹＥＳ）、図５ＢのＳＴＥＰ１７３で、再生指示部１１４は、各コンテンツ再生装置２０ｉから受信した使用者ＭｉのアクションＡＴｉ情報を参照することにより、所定期間（例えば５分）において、同一の番組コンテンツを受信するコンテンツ再生装置２０ｉのうち、いずれかのコンテンツ再生装置２０ｉの使用者Ｍｉが所定のアクションＡＴｉを行ったか否かを判定する。
【０１４７】
当該判定結果が否定的である場合（図５ＢのＳＴＥＰ１７３でＮＯ）、図５ＢのＳＴＥＰ１７４で、再生指示部１１４は、コンテンツ再生装置２０ｉに対し、番組コンテンツのコンテンツ再生指示信号Ｄｊを送信する。
【０１４８】
再生指示部１１４は、コンテンツリストＣ５に示される当該コンテンツの所在情報が「ＵＲＬ」である場合、当該ＵＲＬを番組コンテンツのコンテンツ再生指示信号Ｄｊとして送信する。
【０１４９】
また、コンテンツリストＣ５に示される当該コンテンツのデータの所在情報が「コンテンツ再生装置」である場合、再生指示部１１４は、コンテンツ再生装置２０ｉに対し、当該コンテンツのデータを再生装置記憶部２２ｉから読み出して再生する指示を送信する。
【０１５０】
また、コンテンツリストＣ５に示される当該コンテンツのデータの所在情報が「コンテンツ配信サーバ」である場合、再生指示部１１４は、コンテンツ情報Ｃ（音楽コンテンツ情報Ｃ１又は映像コンテンツ情報Ｃ２）を参照することにより、当該コンテンツのデータをサーバ記憶部１２から読み出して、コンテンツ再生装置２０ｉに対し、当該コンテンツのデータを送信する。
【０１５１】
また、番組コンテンツが「ナレーション」である場合、再生指示部１１４は、ナレーション情報Ｃ３を参照することにより、当該ナレーションのデータをサーバ記憶部１２から読み出してコンテンツ再生装置２０ｉに対し、当該コンテンツを送信する。
【０１５２】
当該判定結果が肯定的である場合（図５ＢのＳＴＥＰ１７３でＹＥＳ）、図５ＢのＳＴＥＰ１７５で、再生指示部１１４は、コンテンツ種別及びコンテンツ再生装置２０ｉの現在位置Ｐｉから番組配信基準地点ＢＢ１までの距離に応じて、付加コンテンツの内容を決定する。
【０１５３】
付加コンテンツを付加する場合、再生指示部１１４は、コンテンツ種別に適合する付加コンテンツを選択する。例えば、再生指示部１１４は、コンテンツ種別が「盛り上がる」である場合には、「歓声」を付加コンテンツとして選択する。また、再生指示部１１４は、コンテンツ種別が「面白い」である場合には、「笑い声」を付加コンテンツとして選択する。
【０１５４】
また、再生指示部１１４は、コンテンツ再生装置２０ｉの現在位置Ｐｉから番組配信基準地点ＢＢ１までの距離が所定の距離よりも大きい場合（すなわちコンテンツ再生装置２０ｉが番組配信基準地点ＢＢ１から所定距離以上離れている場合）、ざわめき等の明確な意味を認識できない歓声を付加コンテンツとして決定する。
【０１５５】
例えば、図６に示されるように、番組配信基準地点ＢＢ１の距離が比較的大きい使用者Ｍ５、使用者Ｍ７及び使用者Ｍ８のコンテンツ再生装置２０ｉに対しては、再生指示部１１４は、明確な意味を認識できない歓声（図６では、「ワー」と擬音で表している）を付加コンテンツとして決定する。
【０１５６】
一方、コンテンツ再生装置２０ｉの現在位置Ｐｉから番組配信基準地点ＢＢ１までの距離が所定距離よりも小さい場合（すなわちコンテンツ再生装置２０ｉが番組配信基準地点ＢＢ１から所定の距離以内である場合）、再生指示部１１４は、意味を認識可能な歓声を付加コンテンツとして決定する。
【０１５７】
例えば、図６に示されるように、番組配信基準地点ＢＢ１の距離が比較的小さい使用者Ｍ１及び使用者Ｍ３のコンテンツ再生装置２０ｉ（ｉ＝１，３）に対しては、再生指示部１１４は、「見えた！」又は「綺麗」等の意味を認識可能な歓声を付加コンテンツとして決定する。
【０１５８】
また、再生指示部１１４は、コンテンツ再生装置２０ｉの現在位置Ｐｉから番組配信基準地点ＢＢ１までの距離が所定距離よりも大きければ大きいほど（すなわちコンテンツ再生装置２０ｉが番組配信基準地点ＢＢ１から離れていれば離れているほど）、付加コンテンツの再生音量を小さくし、又は、付加コンテンツの再生頻度を小さくする。
【０１５９】
一方、再生指示部１１４は、コンテンツ再生装置２０ｉの現在位置Ｐｉから番組配信基準地点ＢＢ１までの距離が所定距離よりも小さければ小さいほど（すなわちコンテンツ再生装置２０ｉが番組配信基準地点ＢＢ１から近ければ近いほど）、付加コンテンツの再生音量を大きくし、又は、付加コンテンツの再生頻度を大きくする。
【０１６０】
例えば、図６に示されるように、番組配信基準地点ＢＢ１の距離が比較的小さい使用者Ｍ１のコンテンツ再生装置２０ｉ（ｉ＝１）に対しては、再生指示部１１４は、歓声（付加コンテンツ）の再生頻度を大きくする。
【０１６１】
図５ＢのＳＴＥＰ１７６で、再生指示部１１４は、コンテンツ再生装置２０ｉに対し、番組コンテンツの再生を指示するコンテンツ再生指示信号Ｄｊ及び付加コンテンツの番組コンテンツへの重畳を指示する付加コンテンツ重畳指示信号ＤＳｊを送信する。
【０１６２】
再生指示部１１４は、付加コンテンツ重畳指示信号ＤＳｊとして、サーバ記憶部１２に記憶された付加コンテンツ情報Ｃ４を参照することにより、付加コンテンツのデータを読み出して、コンテンツ再生装置２０ｉに対し、当該付加コンテンツのデータを送信する。これに代えて、再生指示部１１４は、付加コンテンツのデータを再生装置記憶部２２ｉから読み出す指示を送信してもよいし、付加コンテンツのデータの所在情報を送信してもよい。
【０１６３】
また、再生指示部１１４は、付加コンテンツ重畳指示信号ＤＳｊとして、コンテンツ再生装置２０ｉから受信した使用者Ｍｉの音声又はジェスチャーを記憶したファイルを送信してもよい。
【０１６４】
また、再生指示部１１４は、コンテンツ再生装置２０ｉに付加コンテンツ重畳指示信号ＤＳｊを送信することに加え、たとえば番組配信基準点ＢＢｋに設置されたディスプレイ及びスピーカ等の再生装置に付加コンテンツの重畳を指示する信号を送信してもよい。
【０１６５】
ＳＴＥＰ１７４、ＳＴＥＰ１７６、ＳＴＥＰ１７７又はＳＴＥＰ１７８の後、再生指示部１１４は、コンテンツ配信第１処理を終了する。
【０１６６】
（コンテンツ配信第１処理の作用効果）
コンテンツ配信サーバ１０によれば、再生指示部１１４により、番組配信基準地点ＢＢ１から所定距離以内のコンテンツ配信準備エリアＡ２内である場合（図５ＡのＳＴＥＰ１６４でＹＥＳ）、番組配信基準地点ＢＢ１の番組コンテンツのコンテンツ再生指示信号Ｄｊが送信される（図５ＢのＳＴＥＰ１７４又はＳＴＥＰ１７６）。
【０１６７】
このコンテンツ再生指示信号Ｄｊを受信したコンテンツ再生装置２０ｉが当該番組コンテンツを再生することにより（図２のＳＴＥＰ２６０でＹＥＳかつ図２のＳＴＥＰ２７０）、コンテンツ再生装置２０ｉの使用者Ｍｉは、当該番組コンテンツを視聴することが出来る。このコンテンツ再生指示信号Ｄｊは、番組配信基準地点ＢＢ１から所定距離内に存在するコンテンツ再生装置２０ｉに送信される信号であるから、複数のコンテンツ再生装置２０ｉが、共通の番組コンテンツ（番組配信基準地点ＢＢ１の番組コンテンツ）を再生している場合、当該複数のコンテンツ再生装置２０ｉの使用者Ｍｉらは、番組配信基準地点ＢＢ１から所定距離以内のエリア内に存在しているという共通点を有する。
【０１６８】
そして、再生指示部１１４が、いずれかのコンテンツ再生装置２０ｉの使用者Ｍｉが所定のアクションＡＴｉを行ったと判定した場合（図５ＢのＳＴＥＰ１７３でＹＥＳ）、それぞれのコンテンツ再生装置２０ｉに対し、歓声等の付加コンテンツの番組コンテンツへの重畳を指示する付加コンテンツ重畳指示信号ＤＳｊを送信する（図５ＢのＳＴＥＰ１７６）。
【０１６９】
各コンテンツ再生装置２０ｉにおいてこの付加コンテンツが再生中の番組コンテンツに重畳されることにより（図２のＳＴＥＰ２６０でＹＥＳかつ図２のＳＴＥＰ２７０）、共通の番組コンテンツを視聴する各コンテンツ再生装置２０ｉの使用者は、前記共通点を有する他の使用者に対し、自己のアクションＡＴｉに応じた付加コンテンツを視聴させることが出来るとともに、当該共通点を有する他の使用者のアクションＡＴｉに応じた付加コンテンツを視聴することが出来る。これにより、各コンテンツ再生装置２０ｉの使用者は、前記共通点を有する他の使用者らとの一体感を得ることが出来るので、移動中の各使用者の気分が高揚する。コンテンツを視聴することで気分が高揚した各使用者に対して、引き続き、そのコンテンツに対して注意を払うよう促すことが出来る。
【０１７０】
コンテンツ配信サーバ１０によれば、共通の番組コンテンツがコンテンツ再生装置２０ｉによって再生されている場合であっても、付加コンテンツの内容が、番組配信基準点ＢＢｋからの距離に応じて決定される（図５ＢのＳＴＥＰ１７５）ので、コンテンツ再生装置２０ｉの現在位置Ｐｉと番組コンテンツに関連付けられた地点ＢＢｋとの距離に応じて付加コンテンツの内容が異なりうる。これにより、当該番組コンテンツ及び付加コンテンツを視聴している使用者は、当該番組コンテンツを視聴する他の使用者との一体感に加え、付加コンテンツの内容の変化によって、番組コンテンツに関連付けられた地点までの距離感がつかめるので、移動中の使用者の気分がさらに高揚しうる。
【０１７１】
当該構成のコンテンツ配信サーバ１０によれば、再生指示部１１４によって、それぞれのコンテンツ再生装置２０ｉに対し、番組コンテンツとして、コンテンツ再生装置２０ｉの現在位置Ｐｉから所定の距離内に存在する地点ＢＢｋに関連付けられたコンテンツの再生を指示する信号が送信される（図５ＢのＳＴＥＰ１７４又はＳＴＥＰ１７６）。
【０１７２】
この信号を受信したコンテンツ再生装置２０ｉにより、コンテンツ再生装置２０ｉの現在位置Ｐｉから所定の距離内に存在する地点ＢＢｋに関連するコンテンツが再生されることにより（図２のＳＴＥＰ２６０でＹＥＳかつＳＴＥＰ２７０）、コンテンツ再生装置２０ｉの使用者Ｍｉは、移動している場所付近をコンテンツの内容から把握することが出来る。この結果、コンテンツ再生装置２０ｉの使用者Ｍｉの気分がさらに高揚しうる。
【０１７３】
また、コンテンツ再生装置２０ｉが当該コンテンツ再生装置２０ｉの目的地点Ｇｉから所定の距離以内の圏内に存在する場合には、再生指示部１１４によって、他の番組コンテンツに優先して、当該目的地点Ｇｉに関連した番組コンテンツの再生を指示する信号が当該コンテンツ再生装置２０ｉに送信される（図５ＡのＳＴＥＰ１６１、図５ＢのＳＴＥＰ１７４及びＳＴＥＰ１７６）。
【０１７４】
この信号を受信したコンテンツ再生装置２０ｉが当該コンテンツを再生することにより、コンテンツ再生装置２０ｉの使用者Ｍｉは、目的地点Ｇｉに近づいたことを認識しうるので、コンテンツ再生装置２０ｉの使用者Ｍｉの気分がさらに高揚しうる。
【０１７５】
同一の場所又は距離的に近い場所に向けて移動する場合であっても、コンテンツ再生装置２０ｉの使用者Ｍｉの拠点Ｈｉによって、番組コンテンツに対するコンテンツ再生装置２０ｉの使用者Ｍｉの受け止め方が異なることが多い。この点に鑑みて構成されたコンテンツ配信サーバ１０によれば、夫々のコンテンツ再生装置２０ｉに対し、拠点情報と位置情報とに応じて番組コンテンツの再生を指示する信号を送信するか否かが決定される（図５ＡのＳＴＥＰ１６３）。この結果、拠点情報と位置情報とに応じた番組コンテンツの再生を指示する信号の送信に際し、コンテンツ再生装置の使用者の拠点Ｈｉと前記コンテンツ再生装置の現在位置Ｐｉ、目的地点Ｇｉ及び前記現在位置Ｐｉ及び前記目的地点Ｇｉを結ぶルートＲｉに含まれる経由地点のうち少なくとも１つとに応じて推定される使用者Ｍｉのニーズを勘案して、コンテンツ再生装置２０ｉの使用者Ｍｉの気分を高揚させるための番組のコンテンツの配信を行うかどうかを決定することが出来る。
【０１７６】
また、コンテンツ配信サーバ１０によれば、再生指示部１１４により、使用者Ｍｉの嗜好・ムード情報Ｕ２に基づいて番組コンテンツの配信を行うかどうかが決定される（図５ＢのＳＴＥＰ１７２）。これにより、使用者Ｍｉの嗜好又はムード設定に沿わないようなコンテンツの配信が回避される。
【０１７７】
（第２実施形態のコンテンツ再生処理の概要）
次に、図７を参照して、第２実施形態のコンテンツ配信サーバ１０から各コンテンツ再生装置２０ｉへコンテンツを配信するコンテンツ再生処理の概要を説明する。
【０１７８】
第１実施形態では、各コンテンツ再生装置２０ｉの現在位置Ｐｉ及び目的地点Ｇｉ等を勘案せずに番組情報Ｃ６を作成し（図２のＳＴＥＰ１００）、当該番組情報に基づいてコンテンツを配信したが（図２のＳＴＥＰ１６０）、第２実施形態では、各コンテンツ再生装置２０ｉの現在位置Ｐｉ及び目的地点Ｇｉ等を勘案した上で番組情報Ｃ６を作成し（図７のＳＴＥＰ３５０）、当該番組情報に基づいてコンテンツの再生を指示する信号を配信する（図７のＳＴＥＰ３８０）点で第１実施形態と異なる。
【０１７９】
本説明では、第１実施形態のコンテンツ再生処理と異なる点について詳細に説明し、第１実施形態のコンテンツ再生処理と共通の処理については簡易な説明にとどめる。
【０１８０】
図７のＳＴＥＰ４１０において、再生装置制御部２１ｉは、再生装置制御部２１ｉの使用者Ｍｉの使用者ＩＤと、車両２ｉの現在位置Ｐｉと、車両２ｉの目的地点Ｇｉとを認識する（現在位置検出機能及び目的地点設定機能）。
【０１８１】
図７のＳＴＥＰ４２０において、再生装置制御部２１ｉは、車両２ｉの現在位置Ｐｉと、車両２ｉの目的地点Ｇｉとを含むルート探索要求及びコンテンツ配信要求とを再生装置無線通信部２３ｉを介してコンテンツ配信サーバ１０に対して送信する。
【０１８２】
情報認識部１１２がルート探索要求及びコンテンツ配信要求を受信すると（図７のＳＴＥＰ３１０でＹＥＳ）、図７のＳＴＥＰ３３０において、ナビゲーション部１１１は、認識した車両２ｉの現在位置Ｐｉ及び目的地点Ｇｉに基づいて、サーバ記憶部１２に記憶されたナビゲーション情報Ｎを参照することにより、現在位置Ｐｉと目的地点Ｇｉとを結ぶルートＲｉを探索し、当該ルートＲｉの所定の位置を示す座標値等の当該ルートＲｉを特定するのに必要なルート情報ＲＩｉをサーバ通信部１３を介して、コンテンツ再生装置２０ｉに送信する。
【０１８３】
なお、情報認識部１１２は、ルート探索要求及びコンテンツ配信要求を受信しない場合（図７のＳＴＥＰ３１０でＮＯ）、再度、図７のＳＴＥＰ３１０の判定を実行する。
【０１８４】
再生装置制御部２１ｉは、再生装置無線通信部２３ｉを介してコンテンツ配信サーバ１０からルート情報ＲＩｉを受信すると（図７のＳＴＥＰ４３０でＹＥＳ）、図７のＳＴＥＰ４４０において、ルート情報ＲＩｉに基づいて、ルートＲｉを描画し、タッチパネル２５ｉに表示させることによりナビゲーションを開始する。これに加え、再生装置制御部２１ｉは、ルート情報ＲＩｉに基づいて、スピーカ２４ｉを介して、音声によるナビゲーションを実行してもよい。
【０１８５】
再生装置制御部２１ｉは、ルート情報ＲＩｉを受信しない場合（図７のＳＴＥＰ４３０でＮＯ）、再度、図７のＳＴＥＰ４３０の判定を実行する。
【０１８６】
図７のＳＴＥＰ３４０において、番組作成部１１３は、各コンテンツ再生装置２０ｉの現在位置Ｐｉ、目的地点Ｇｉ及びルートＲｉに基づいて、ほぼ同様の時間帯に、同一又は近傍の目的地点Ｇｉに向かうコンテンツ再生装置２０ｉをグルーピングする。
【０１８７】
より具体的には、番組作成部１１３は、互いの目的地点Ｇｉが所定距離内で、ほぼ同様の時間帯に地点リストＮ３に含まれる地点（経由地点）から所定距離内のエリアを通過するルートＲｉとなったコンテンツ再生装置２０ｉの群を、一つのグループとして扱う。番組作成部１１３は、互いの目的地点Ｇｉが所定距離内で、ほぼ同様の時間帯に目的地点Ｇｉに到着予定のコンテンツ再生装置２０ｉの群を、一つのグループとして扱ってもよい。
【０１８８】
これにより、例えば、図９に示される団体で移動しようとする複数のコンテンツ再生装置２０ｉ（の使用者Ｍ１１〜Ｍ１３）、又は偶発的に同一又はほぼ同一の経路を通って同一又は互いに近い目的地点Ｇｉに向かっているコンテンツ再生装置２０ｉが１つのグループとして扱われる。
【０１８９】
図７のＳＴＥＰ３５０において、番組作成部１１３は、後述する第２番組作成処理（図８）を実行する。第２番組作成処理により、前記経由地点及び目的地点Ｇｉに関連したコンテンツの配信順と配信時刻とを定める番組情報Ｃ６が生成される。
【０１９０】
ナビゲーションを開始後、図７のＳＴＥＰ４５０において、再生装置制御部２１ｉは、使用者ＭｉのアクションＡＴｉ及び車両２ｉの現在位置Ｐｉを認識する（アクション認識機能及び現在位置検出機能）。
【０１９１】
図７のＳＴＥＰ４６０において、再生装置制御部２１ｉは、認識した使用者ＭｉのアクションＡＴｉ及び車両２ｉの現在位置Ｐｉを再生装置無線通信部２３ｉを介してコンテンツ配信サーバ１０に送信する。
【０１９２】
情報認識部１１２がサーバ通信部１３を介して、コンテンツ再生装置２０ｉから使用者ＭｉのアクションＡＴｉ、及び車両２ｉの現在位置Ｐｉを受信すると（図７のＳＴＥＰ３７０でＹＥＳ）、図７のＳＴＥＰ３８０において、再生指示部１１４は、後述するコンテンツ配信第２処理を実行する。
【０１９３】
なお、情報認識部１１２は、各情報を受信しない場合（図７のＳＴＥＰ３７０でＮＯ）、再度、図７のＳＴＥＰ３７０の判定を実行する。
【０１９４】
当該コンテンツ配信第２処理では、コンテンツ再生装置２０ｉに対し、コンテンツ再生装置２０ｉから使用者ＭｉのアクションＡＴｉ及び車両２ｉの現在位置Ｐｉに応じたコンテンツの再生を指示する信号（コンテンツ再生指示信号Ｄｊ又は付加コンテンツ重畳指示信号ＤＳｊ）が送信される。
【０１９５】
再生装置制御部２１ｉは、再生装置無線通信部２３ｉを介して、コンテンツ配信サーバ１０からコンテンツ再生指示信号Ｄｊ又は付加コンテンツ重畳指示信号ＤＳｊを受信すると（図７のＳＴＥＰ４７０でＹＥＳ）、図７のＳＴＥＰ４８０において、コンテンツ再生指示信号Ｄｊ又は付加コンテンツ重畳指示信号ＤＳｊで指定されたコンテンツを再生（重畳）する（コンテンツ再生機能）。
【０１９６】
再生装置制御部２１ｉは、コンテンツ再生指示信号Ｄｊ又は付加コンテンツ重畳指示信号ＤＳｊを受信しない場合（図７のＳＴＥＰ４７０でＮＯ）、再度、図７のＳＴＥＰ４７０の判定を実行する。
【０１９７】
再生装置制御部２１ｉは、図７のＳＴＥＰ４５０以下の処理を再び実行する。
【０１９８】
（第２番組作成処理）
次に、図８〜図９を参照しながら、サーバ制御部１１（番組作成部１１３）がコンテンツの配信順と配信時刻とを定める番組情報Ｃ６を作成する第２番組作成処理（図７のＳＴＥＰ３５０）を説明する。
【０１９９】
第２番組作成処理は、番組作成部１１３が、各コンテンツ再生装置２０ｉの目的地点Ｇｉ及びルートＲｉ、コンテンツ再生装置２０ｉの使用者Ｍｉの嗜好等のコンテンツ再生装置２０ｉの個別的事情を認識した上で番組作成を行う点で、第１番組作成処理と異なる。
【０２００】
本説明では、第１番組作成処理と異なる点について詳細に説明し、第１番組作成処理と共通の処理については簡易な説明にとどめる。
【０２０１】
図８のＳＴＥＰ３５１において、番組作成部１１３は、サーバ記憶部１２に記憶された地点リストＮ３（表２参照）を参照することにより、各コンテンツ再生装置２０ｉの共通の目的地点Ｇｉ又は各目的地点Ｇｉから所定の距離の地点、又は各コンテンツ再生装置２０ｉが共通して通過する経由地点又は各コンテンツ再生装置２０ｉの各ルートＲｉから所定距離内にある地点を、番組作成対象地点ＢＣｋとして認識する。
【０２０２】
例えば、各コンテンツ再生装置２０ｉの目的地点Ｇｉが共通の「○○海岸」である場合、番組作成部１１３は、「○○海岸」を番組作成対象地点ＢＣｋとして認識する。また、各コンテンツ再生装置２０ｉの各ルートＲｉから所定距離内にある地点が「△△歌劇場」である場合、番組作成部１１３は、「△△歌劇場」を番組作成対象地点ＢＣｋとして認識する。
【０２０３】
図８のＳＴＥＰ３５２において、番組作成部１１３は、サーバ記憶部１２に記憶されたコンテンツリストＣ５（表１参照）を参照することにより、番組作成対象地点ＢＣｋに関連したコンテンツを配信対象コンテンツリストに加える。
【０２０４】
図８のＳＴＥＰ３５３において、番組作成部１１３は、サーバ記憶部１２に記憶された地点リストＮ３（表２参照）、コンテンツ配信サーバ１０の時計機能及びルートＲｉを参照することにより、番組作成対象地点ＢＣｋの地点種別、季節及び番組対象地点への到着（通過）予定時刻を認識する。
【０２０５】
図８のＳＴＥＰ３５４において、番組作成部１１３は、サーバ記憶部１２に記憶されたコンテンツリストＣ５（表１参照）及び地点種別リストＮ４（表３参照）を参照することにより、番組作成対象地点ＢＣｋの地点種別に関連したコンテンツを配信対象コンテンツリストに加える。
【０２０６】
例えば、番組作成部１１３は、番組作成対象地点ＢＣｋ「○○海岸」の地点種別が「海岸」であり、現在の季節の季節が「夏」であり、到着予定時刻が「１５：００〜２０：００」に含まれる場合、地点種別リストＮ４（表３参照）に基づいて、タグ「屋外」「花火」を認識する。そして、番組作成部１１３は、コンテンツリストＣ５（表１参照）に基づいて、当該タグ「屋外」「花火」を有するコンテンツ「天気予報」「漫才Ｘ３」を認識する。番組作成部１１３は、このようにして認識したコンテンツ「天気予報」「漫才Ｘ３」を配信対象コンテンツリストに加える。
【０２０７】
図８のＳＴＥＰ３５５において、番組作成部１１３は、サーバ記憶部１２に記憶された嗜好・ムード情報Ｕ２を参照することにより、各使用者の嗜好を認識する。
【０２０８】
図８のＳＴＥＰ３５６において、番組作成部１１３は、各使用者Ｍｉの嗜好と合致しないコンテンツを配信対象コンテンツリストから除外する。
【０２０９】
図８のＳＴＥＰ３５７において、番組作成部１１３は、各コンテンツのバージョンを決定する。
【０２１０】
図８のＳＴＥＰ３５８において、番組作成部１１３は、各コンテンツ再生装置２０ｉが、各コンテンツに関連付けられた地点付近に滞在する予定時間帯を認識する。
【０２１１】
例えば、番組作成部１１３は、コンテンツ再生装置２０ｉが「△△歌劇場」から所定距離以内に滞在する予定時間帯（例えば１０：２０〜１１：００等）を認識する。
【０２１２】
図８のＳＴＥＰ３５９において、番組作成部１１３は、番組作成対象地点ＢＣｋすべてに対してＳＴＥＰ３５１〜ＳＴＥＰ３５８の処理を完了したか否かを判定する。
【０２１３】
当該判定結果が否定的な場合（図８のＳＴＥＰ３５９‥ＮＯ）、番組作成部１１３は、未処理の番組作成対象地点ＢＣｋについて、ＳＴＥＰ３５１〜ＳＴＥＰ３５８の処理を実行する。
【０２１４】
当該判定結果が肯定的な場合（図８のＳＴＥＰ３５９‥ＹＥＳ）、図８のＳＴＥＰ３６０において、番組作成部１１３は、各エリアの滞在予定時間及び配信対象コンテンツリストに基づいて、配信するコンテンツの配信順及び配信時刻である番組情報Ｃ６を決定する。番組作成部１１３は、各コンテンツの再生時間と移動にかかる予定時間との間に相違がある場合、一般的なコンテンツ（例えば、図９に示される音楽Ｘ１０）を番組情報Ｃ６に含めてもよい。
【０２１５】
図８のＳＴＥＰ３６１において、番組作成部１１３は、ナレーション情報Ｃ３を参照することにより、番組情報Ｃ６に各コンテンツのナレーションを差し込む。
【０２１６】
この第２番組作成処理により、図９に示されるように、目的地点Ｇｉ「○○海岸」及び経由地点「△△歌劇場」に関連したコンテンツの配信順及び配信時刻を規定する番組情報Ｃ６が作成される。
【０２１７】
（コンテンツ配信第２処理）
次に、図１０を参照して、サーバ制御部１１（再生指示部１１４）により実行されるコンテンツ配信第２処理（図７のＳＴＥＰ３８０）について説明する。
【０２１８】
図１０のＳＴＥＰ３８１において、再生指示部１１４は、番組情報Ｃ６及び現在時刻に基づいて、配信する番組コンテンツを認識する。
【０２１９】
図１０のＳＴＥＰ３８２において、再生指示部１１４は、各コンテンツ再生装置２０ｉから受信した使用者ＭｉのアクションＡＴｉ情報を参照することにより、所定期間（例えば５分）において、各コンテンツ再生装置２０ｉのうち、いずれかのコンテンツ再生装置２０ｉの使用者Ｍｉが所定のアクションＡＴｉを行ったか否かを判定する。
【０２２０】
当該判定結果が否定的である場合（図１０のＳＴＥＰ３８２でＮＯ）、図１０のＳＴＥＰ３８３で、再生指示部１１４は、図５ＢのＳＴＥＰ１７４と同様に、コンテンツ再生装置２０ｉに対し、番組コンテンツのコンテンツ再生指示信号Ｄｊを送信する。
【０２２１】
当該判定結果が肯定的である場合（図１０のＳＴＥＰ３８２でＹＥＳ）、図１０のＳＴＥＰ３８４で、再生指示部１１４は、図５ＢのＳＴＥＰ１７５と同様に、コンテンツ種別及びコンテンツ再生装置２０ｉの現在位置Ｐｉから番組配信基準地点ＢＢｋまでの距離に応じて、付加コンテンツの内容を決定する。
【０２２２】
図１０のＳＴＥＰ３８５で、再生指示部１１４は、図５ＢのＳＴＥＰ１７６と同様に、コンテンツ再生装置２０ｉに対し、番組コンテンツの再生を指示するコンテンツ再生指示信号Ｄｊ及び付加コンテンツの重畳を指示する付加コンテンツ重畳指示信号ＤＳｊを送信する。
【０２２３】
再生指示部１１４は、付加コンテンツ重畳指示信号ＤＳｊとして、サーバ記憶部１２に記憶された付加コンテンツ情報Ｃ４を参照することにより、付加コンテンツのデータを読み出して、コンテンツ再生装置２０ｉに対し、当該付加コンテンツのデータを送信する。
【０２２４】
ＳＴＥＰ３８３又はＳＴＥＰ３８５の後、再生指示部１１４は、コンテンツ配信第２処理を終了する。
【０２２５】
（第２実施形態の作用効果）
第２実施形態によれば、第１実施形態と同様の作用効果を奏する。
【０２２６】
また、第２実施形態により、図９に示される、団体で○○海岸へ移動しようとしている使用者Ｍｉ（ｉ＝１１〜１３）の各コンテンツ再生装置２０ｉ（ｉ＝１１〜１３）に対し、当該コンテンツ再生装置２０ｉ（ｉ＝１１〜１３）向けに作成された番組情報に沿って番組コンテンツの再生を指示する信号が送信される（図１０のＳＴＥＰ３８３、ＳＴＥＰ３８５）。これにより、各コンテンツ再生装置２０ｉ（ｉ＝１１〜１３）の使用者Ｍｉ（ｉ＝１１〜１３）の気分を高揚させることが出来る。
【０２２７】
また、コンテンツ配信第２処理によれば、同一の行動目的を有している使用者Ｍｉの互いのアクションＡＴｉがあった場合に、各コンテンツ再生装置２０ｉに付加コンテンツ重畳指示信号ＤＳｊが送信される（図１０のＳＴＥＰ３８２でＹＥＳかつ図１０のＳＴＥＰ３８５）。同一の行動目的を有している使用者Ｍｉは、行動目的の達成が近づくと、それぞれの気分が高揚し、発声等のアクションＡＴｉを行うこと多くなると考えられるので、当該構成によれば、目的地点Ｇｉに近づくほど、それぞれのコンテンツ再生装置２０ｉに送信される付加コンテンツ重畳指示信号ＤＳｊの頻度が高まり、図９右側に示すように、にぎやかさを演出することが出来る。これにより、使用者Ｍｉの気分を高揚させることが出来る。
【符号の説明】
【０２２８】
１０‥コンテンツ配信サーバ、１１‥サーバ制御部、１１２‥情報認識部（位置認識部、アクション認識部）、１１４‥再生指示部（関連コンテンツ再生指示部、付加コンテンツ重畳指示部）１３‥サーバ通信部、２０ｉ‥コンテンツ再生装置、Ｍｉ‥使用者、ＡＴｉ‥アクション。
【図１】
2017076204.tif 000006
【図２】
2017076204.tif 000007
【図３】
2017076204.tif 000008
【図４】
2017076204.tif 000009
【図５Ａ】
2017076204.tif 000010
【図５Ｂ】
2017076204.tif 000011
【図６】
2017076204.tif 000012
【図７】
2017076204.tif 000013
【図８】
2017076204.tif 000014
【図９】
2017076204.tif 000015
【図１０】
2017076204.tif 000016